(57)【要約】      （修正有）【課題】釘や接着剤を使わず、敢えて仕口が露出する什器の仕口構成体を実現し、これにより日本建築との親和性に優れた什器を構成する。【解決手段】複数の線材１１、１２を長手方向と直交する方向に突き合わせた柱体と、各線材１１、１２に物理的変形を加えることなく着脱可能に関わって突き合わせた状態に拘束する拘束手段（磁気的吸着部）と、線材１１、１２の突き合わせ面に沿って互いに交叉方向に貫通する第１差し孔２１および第２差し孔２２と、第１差し孔２１に嵌合される第１貫材３１および及び第２差し孔２２に嵌合し更に嵌合位置から相欠きを介して第１貫材３１に係合する第２貫材３２と、係合後に第２差し孔２２と第２貫材３２の隙間δに着脱可能に嵌挿される楔材４とから仕口構成体Ａを構成する。【選択図】図１
2016140490.tif 000002
【特許請求の範囲】
【請求項１】
複数の線材を長手方向と直交する方向に突き合わせた柱体と、各線材に物理的変形を加えることなく着脱可能に関わって突き合わせた状態に拘束する拘束手段と、線材の突き合わせ面に沿って互いに交叉方向に貫通する第１差し孔および第２差し孔と、第１差し孔に嵌合される第１貫材および及び第２差し孔に嵌合し更に嵌合位置から相欠きを介して第１貫材に係合する第２貫材と、係合後に第２差し孔と第２貫材の隙間に着脱可能に嵌挿される楔材とを備えたことを特徴とする什器の仕口構成体。
【請求項２】
各線材の突き合わせ面が平坦面であり、隣接する線材の平坦面同士を突き合わせて柱体を構成する請求項１に記載の什器の仕口構成体。
【請求項３】
平坦面が直交２面であり、４本の線材から柱体が構成されている請求項２に記載の什器の仕口構成体。
【請求項４】
拘束手段が、線材の突き合わせ面間に構成される磁気的吸着部である請求項１〜３の何れかに記載の什器の仕口構成体。
【請求項５】
拘束手段が、線材の外周位に巻回される可撓性の緊締具である請求項１〜３の何れかに記載の什器の仕口構成体。
【請求項６】
請求項１〜５の何れかを使用して仕口を構成した什器であって、少なくとも一部の仕口において、第１貫材もしくは第２貫材の少なくとも何れか一方は対応する差し孔を貫通して両側へ延びた状態で使用されることを特徴とする什器。
【請求項７】
請求項１〜５の何れかを使用して仕口を構成した什器であって、少なくとも一部の仕口において、第１貫材もしくは第２貫材の少なくとも何れか一方は対応する差し孔への貫通端において当該差し孔の開口面と略面一となる状態で使用されることを特徴とする什器。
【請求項８】
請求項１〜５の何れかを使用して仕口を構成した什器であって、少なくとも一部の仕口において、第１貫材もしくは第２貫材の少なくとも何れか一方は対応する差し孔への基端および貫通端においてそれぞれ当該差し孔の開口面と略面一となる状態で使用されることを特徴とする什器。
【請求項９】
第１貫材、第２貫材、楔材の少なくとも何れかにオプション部材が一体的に付帯している請求項６〜８の何れかに記載の什器。
【発明の詳細な説明】
【技術分野】
【０００１】
本発明は、釘やねじ等を用いずに仕口を構成でき、種々の什器の組み立てに利用可能な什器の仕口構成体および什器に関する。
【背景技術】
【０００２】
従来より、テーブルや棚などの什器には、様々なものが市場に供されている。特に、近年は軽量で安価なもの、組立分解が容易なものが数多く流通しており、機能重視の場合にはスチール家具、デザイン重視の場合には欧風の家具などが購入される場合が少なくない。
【０００３】
こうした什器の例は、先行技術文献として挙げるまでもなく、枚挙にいとまはない。
【発明の概要】
【発明が解決しようとする課題】
【０００４】
ところで、近年の住宅事情を見ると、規格化された住宅がコスト的にも圧倒的に多いが、それでも注文建築の人気は根強く、日本の伝統建築にのっとって、今日においても釘やねじ等を用いずに、柱や梁、桁を軸組み工法によって組んだ建築物も多く見られる。
【０００５】
このような構造には、ホゾ・差し・相欠き等が柱や梁、桁の仕口のいたるところで見受けられる。
【０００６】
こうした日本建築は施主の意向を反映して一品製作的に作られるのであるが、完成した後の建物内に配置する什器についても施主のこだわりが強い場合が少なくない。
【０００７】
すなわち、伝統的な建築物のなかに釘や接着剤を使った什器を入れたり、今風にデザインされた什器を配置すると、折角の建築物との親和性が悪くなって統一感が害されるため、あえて木材を使った特注の什器を要望される場合がある。
【０００８】
しかしながら、このような一品製作的なカテゴリーの商品は、材料や構造が特殊であるうえに熟練技を要するために高コストとなり、技術の積み上げも期待できない。
【０００９】
本発明は、このようなシーンに端を発したものであり、釘や接着剤を使わず、敢えて仕口が露出する什器の仕口構成体を実現し、これにより上記の如き用途に資するとともに、什器の新たな展開を図ることを目的としている。
【課題を解決するための手段】
【００１０】
本発明は、かかる目的を達成するために、次のような手段を講じたものである。
【００１１】
すなわち、本発明に係る什器の仕口構成体は、複数の線材を長手方向と直交する方向に突き合わせた柱体と、各線材に物理的変形を加えることなく着脱可能に関わって突き合わせた状態に拘束する拘束手段と、線材の突き合わせ面に沿って互いに交叉方向に貫通する第１差し孔および第２差し孔と、第１差し孔に嵌合される第１貫材および及び第２差し孔に嵌合し更に嵌合位置から相欠きを介して第１貫材に係合する第２貫材と、係合後に第２差し孔と第２貫材の隙間に着脱可能に嵌挿される楔材とを備えたことを特徴とする。
【００１２】
このようなものであれば、釘やねじ等を用いることなく仕口を構成することができ、仕口を組み合わせて多彩なバリエーションに展開することができる。しかも、仕口や差し孔、貫材、楔材等は伝統的な建築要素であるため、これらを用いて什器を構成すれば伝統的な建築物との親和性が良好となる。さらに、ノックダウンが可能で熟練を要さずに組み立てが容易であり、多彩な形態も仕口構成体を共通パーツとして表現できるため、この種のカテゴリーの什器を極めて安価に構成することができる。さらに、楔材を外して拘束手段の拘束を解けば容易に分離できるため、違う形態のものに再構築するといった利用も可能になる。
【００１３】
特に、柱体の形態や強度を適切に維持するためには、各線材の突き合わせ面が平坦面であり、隣接する線材の平坦面同士を突き合わせて柱体を構成することが望ましい。
【００１４】
直交２方向から交叉する仕口を有する一般的なフレーム構造に広く適用するためには、平坦面が直交２面であり、４本の線材から柱体が構成されていることが好ましい。
【００１５】
組立分解が容易で、施工手順の自由度も高めるためには、拘束手段が、線材の突き合わせ面間に構成される磁気的吸着部であることが望ましい。
【００１６】
同様に組立分解が容易で、かつ意匠的要素も加えたい場合には、拘束手段が、線材の外周位に巻回される可撓性の緊締具であるものも好適である。
【００１７】
以上の仕口構成体を利用し、貫材が柱体を貫通する仕口を有する什器を適切に構成するためには、少なくとも一部の仕口において、第１貫材もしくは第２貫材の少なくとも何れか一方は対応する差し孔を貫通して両側へ延びた状態で使用されることが好ましい。
【００１８】
また、上記仕口構成体を利用し、貫材が柱体の一方の面のみから延出する仕口を有する什器を適切に構成するためには、少なくとも一部の仕口において、第１貫材もしくは第２貫材の少なくとも何れか一方は対応する差し孔への貫通端において当該差し孔の開口面と略面一となる状態で使用されることが好ましい。
【００１９】
さらに、上記仕口構成体を利用し、差し孔のうち実質的に仕口を構成しない部分を目隠しした什器を適切に構成するためには、少なくとも一部の仕口において、第１貫材もしくは第２貫材の少なくとも何れか一方は対応する差し孔への基端および貫通端においてそれぞれ当該差し孔の開口面と略面一となる状態で使用されることが好ましい。
【００２０】
以上において、オプション部材を取り付ける際には、第１貫材、第２貫材、楔材の少なくとも何れかにオプション部材が一体的に付帯しているものが好都合である。
【発明の効果】
【００２１】
以上説明した本発明によれば、釘やねじ等を用いることなく仕口を構成することができ、仕口を組み合わせて多彩なバリエーションの構造物に展開することができるだけでなく、伝統的な建築物との親和性に優れ、組み立て分解、再構築も容易な、従来にはない斬新な仕口構成体及び什器を提供することができる。
【図面の簡単な説明】
【００２２】
【図１】本発明の一実施形態に係る仕口構成体を示す図。
【図２】同仕口構成体を構成する第１線材および第２線材等を複数の方向から示す図。
【図３】同仕口構成体の他の組み付け例を示す図。
【図４】同仕口構成体を使用した什器である手帳棚を示す斜視図。
【図５】同手帳棚を複数の方向から示す図。
【図６】同仕口構成体を使用した什器であるテーブルを示す斜視図。
【図７】同テーブルを複数の方向から示す図。
【図８】同仕口構成体を使用した什器である棚を示す斜視図。
【図９】同棚を複数の方向から示す図。
【図１０】同仕口構成体を使用した什器であるレジ台を示す斜視図。
【図１１】同レジ台を複数の方向から示す図。
【図１２】本発明に係る拘束手段の変形例を示す図。
【発明を実施するための形態】
【００２３】
以下、本発明の一実施形態を、図面を参照して説明する。
【００２４】
図１は、本実施形態の仕口構成体Ａを示し、図２はその一部の構成部品図である。この仕口構成体Ａは、柱体１に設けた第１差し孔２１および第２差し孔２２にそれぞれ第１貫材３１および第２貫材３２を交叉状態で挿入し、楔材４を打ち込んで仕口ａを固定するようにしたものである。
【００２５】
具体的に説明すると、柱体１は軸方向に延びる各一対の第１線材１１および第２線材１２を長手方向と直交する方向に突き合わせて構成されている。線材１１、１２は断面が正方形をなす角柱状のもので、直交２面１１ａ、１１ｂ、１２ａ、１２ｂが突き合わせ面として設定され、隣接する線材１１、１２の突き合わせ面１１ａ、１１ａ同士、１１ｂ、１１ｂ同士を突き合わせることで、柱体１は４分割構造として組み付けられる。
【００２６】
その結果、第１線材１１は対をなして柱体１の一方の対角に位置し、第２線材１２は対をなしてもう一方の対角に位置する。第１線材１１は、第１の突き合わせ面１１ａに沿って第１差し孔２１となる位置に第１切欠き１１ｃが、第２の突き合わせ面１１ｂに沿って第２差し孔２２となる位置に第２切欠き１１ｄがそれぞれ設けてあり、第２線材１２にも、突き合わせ面１２ａに沿って第１差し孔２１となる位置に第１切欠き１２ｃが、突き合わせ面１２ｂに沿って第２差し孔２２となる位置に第２切欠き１２ｄがそれぞれ設けてある。第１差し孔２１に比して第２差し孔２２は、切欠きの深さが同じ（ｄ１＝ｄ２）で切欠き幅が大きく（ｗ１＜ｗ２、ｗ２≒１．５ｗ１）形成されている。
【００２７】
そして、第１線材１１の第１の突き合わせ面１１ａと第２線材１２の第１の突き合わせ面１２ａとを突き合わせることによって、第１切欠き１１ｃ、１２ｃ同士の間に第１差し孔２１が形成され、第１線材１１の第２の突き合わせ面１１ｂと第２線材１２の第２の突き合わせ面１２ｂとを突き合わせることによって、第２切欠き１１ｄ、１２ｄ同士の間に第２差し孔２２が形成される。
【００２８】
第１線材１１の第１の突き合わせ面１１ａには、長手方向に離間した複数箇所（本実施形態では４箇所）にマグネット１１ｅが表面を突き合わせ面１１ａから僅かに突出させた状態で埋設されており、対する第２線材１２の第１の突き合わせ面１２ａには、前記マグネット１１ｅの位置に対応して長手方向に離間した複数箇所（本実施形態では４箇所）に鉄等の磁性材からなる皿ビス様の被着具１２ｅが表面を突き合わせ面から僅かに没入させた状態で埋設されている。
【００２９】
また、第２線材１２の第２の突き合わせ面１２ｂには、長手方向に離間した複数箇所（本実施形態では４箇所）にマグネット１２ｆが表面を突き合わせ面１２ｂから僅かに突出させた状態で埋設されており、対する第１線材１１の第２の突き合わせ面１１ｂには、前記マグネット１２ｆの位置に対応して長手方向に離間した複数箇所（本実施形態では４箇所）に鉄等の磁性材からなる皿ビス様の被着具１１ｆが表面を突き合わせ面１１ｂから僅かに没入させた状態で埋設されている。
【００３０】
マグネット１１ｅと被着具１２ｅ、マグネット１２ｆと被着具１１ｆは、本発明の磁気的吸着部Ｍを構成している。
【００３１】
第１線材１１上におけるマグネット１１ｅと被着具１１ｆの位置関係、第２線材１２上におけるマグネット１２ｆと被着具１２ｅの位置関係は、各々長手方向に位置ずれさせてある。
【００３２】
一方、第１貫材３１および第２貫材３２は平板状（梁状）のもので、断面形状は同一（幅寸法Ｗ３＝Ｗ４）とされ、第１貫材３１の断面形状は第１差し孔２１に対応する矩形状をなしていて幅寸法Ｗ３は第１差し孔２１の幅寸法Ｗ１にほぼ等しく、第２貫材３２の断面形状は第２差し孔２２に一部対応する矩形状をなしていて幅寸法Ｗ４は第２差し孔２２の幅寸法Ｗ２よりも短く（２／３程度に）設定されている。
【００３３】
第１貫材３１には、使用状態で仕口ａ内に位置する部位に上向きの切欠き３１ａが設けられ、第２貫材３２には、使用状態で仕口ａ内に位置する部位に下向きの切欠き３２ａが設けられており、両切欠き３１ａ、３２ａは相欠きの関係で係合し合う。切欠き３１ａ、３２ａの深さは、それぞれ貫材３１、３２の幅寸法Ｗ１、Ｗ２の１／２に設定されている。
【００３４】
後述するように、これらを組み付けると、仕口ａにおいて第２差し孔２２と第２貫材３２との間に隙間δが生じる。楔部材４はこの隙間δに打ち込まれて当該隙間δを閉塞する断面形状に設けられている。
【００３５】
以上において、第１線材１１、第２線材１２、第１貫材３１、第２貫材３２、楔部材４は全て非磁性材、この実施形態ではアルミ素材が用いてあり、楔部材４は滑りをよくするために樹脂部材が用いてある。勿論、上記の全部または一部を木製素材で構成するなど、素材は限定されるものではない。
【００３６】
次に、この仕口構成体Ａを用いて仕口ａを構成する手順について説明する。先ず、図１に矢印Ｔ１で示すように、第１線材１１及び第２線材１２を集合させて柱体１を構成する。次に、矢印Ｔ２で示すように第１差し孔２１に第１貫材３１を切欠き３１ａを上に向けて挿入する。さらに、その切欠き３１ａに差し込むようにして矢印Ｔ３で示すように第２差し孔２２に第２貫材３２を切欠き３２ａを下に向けて挿入し、引き続き切欠き３１ａ、３２ａが合致した位置で矢印Ｔ４で示すように第２貫材３２を第１貫材３１に向けて降下させて切欠き３１ａ、３２ａ同士を係合させて相欠きにする。最後に、第２差し孔２２と第２貫材３２との間に残る隙間δに矢印Ｔ５で示すように楔部材４を打ち込んで、相欠きが外れないようにする。このようにして仕口ａが完了する。
【００３７】
この場合、図３（ａ）に示すように、先に１本の第１線材１１と１本の第２線材１２を釘やねじ等の止着具を用いて壁等に固定し、次いで残り１本の第１線材１１と１本の第２線材１２を組み付けて柱体１とした後に、図１と同様の手順で組み付けを行うこともできる。この場合、図１の第１貫材３１は差し孔２１を貫通しない状態とされる。勿論、先に１本の第１線材１１のみ、或いは１本の第２線材１２のみを釘やねじ等の止着具を用いて壁等に固定し、次いで残り３本の線材１１、１２を組み付けて柱体１としても構わない。
【００３８】
或いは、図３（ｂ）に示すように、先に１本の第１線材１１と１本の第２線材１２を組み付けてその間にできる未完成で閉じた状態の第１差し孔に第１貫材３１を挿通し、また未完成で開いた状態の第２差し孔に第２貫材３２を貫通させて落とし込むことにより第１貫材３１と相欠きの状態で係合させ、さらに楔部材４を打ち込んで、最後に残りの１本の第１線材１１と１本の第２線材１２を嵌め合わせるようにしてもよい。このように、この仕口構成体Ａは施工上の都合が利き易く、また、必要があれば図１の状態から図３（ｂ）のように一部の線材１１、１２を分離させて仕口ａを開くこともできる。
【００３９】
仕口ａに対する貫材３１、３２の通し方としては、図１に示すように第１貫材３１および第２貫材３２の双方が差し孔２１、２２を貫通して両側へ延びた状態で使用される形態のほか、後記図４の第２貫材３２のように差し孔２２への貫通端で止めて当該差し孔２２の開口面と略面一となる状態で使用される形態（矢印Ｙ部参照）、或いは、同図に示すように第１貫材３１や第２貫材３２が差し孔２１、２２内に丁度収容される寸法、すなわち基端および貫通端においてそれぞれ当該差し孔２１、２２の開口面と略面一となって突出部分が存在しない状態で使用される形態（矢印Ｚ部参照）など、様々な形態を組み合せることができる。
【００４０】
以下、この仕口構成体Ａを利用して什器を構成した例を挙げる。什器とは、一般に日常使用する家具・道具・器物の類を言う。
【００４１】
図４及び図５は、仕口構成体Ａを利用して、什器の一つである扁平な棚Ｘ１（手帳棚）を構成した例である。この棚Ｘ１は、左右に対をなす柱体１と、柱体１間に架設された第２貫材であるフレーム３２と、左右の柱体１の前面に亘って後傾姿勢で設けられる棚板５とを備える。棚板５は第１貫材３１に一体的に設けられ、第１貫材３１には中央に上向きの切欠き３１ａが、フレーム（第２貫材）３２には左右両端に下向きの切欠き（図示省略）が設けてある。そして、第１差し孔２１に第１貫材３１を差し込んで棚板５を仮保持した後、交叉方向から第２差し孔２２にフレーム（第２貫材）３２を差し込んで第１貫材３１と相欠きにし、最後に楔材４を打ち込めば、柱体１、１間にフレーム（第２貫材）３２が架設され、柱体１の前面に本発明においてはオプション部材として位置づけられる棚板５が取り付けられた棚板Ｘ１が完成する。この棚Ｘ１は奥行きが小さいため、図３（ａ）に示したようにして先に線材１１（１２）の一部を壁等に固定しておくことが好適である。
【００４２】
図６及び図７は、仕口構成体Ａを利用して、什器の一つであるテーブルＸ２を構成した例である。このテーブルＸ２は柱体１を４本の脚として用い、４本の脚（柱体）１間を連結する位置に第１貫材３１、第２貫材３２を枠状に架け渡して上下の補強枠６１としている。第１貫材３１と第２貫材３２は仕口内で相欠きにより係合し、楔材４で固定されている。上補強枠６１には十字の補強フレーム６３、６４が相欠きによって係合し、補強フレーム６３、６４の両端は対応する貫材３１、３２に追入れによって係合している。
【００４３】
この実施形態の柱体１には、マグネット６５が適宜箇所に埋設してあり、この上に磁性部を有するメタル天板６６を載せてテーブルＸ２に仕上げているものである。
【００４４】
図８及び図９は、仕口構成体Ａを利用して、什器の一つである一般的な奥行きの棚Ｘ３を構成した例である。この棚Ｘ３も、４本の柱体１と、３つの補強枠６１とから構成されていて、補強枠６１と柱体１との関係は上記テーブルＸ２の補強枠６１（貫材３１、３２）と柱体１との関係と同様である。なお、この実施形態では、補強枠６１の貫材３１、３２上にパンチングメタルの棚板６５を支持させている。
【００４５】
図１０及び図１１は、この仕口構成体Ａを利用して、什器の一つであるレジ台Ｘ４を構成した例である。このレジ台Ｘ３は、４本の柱体１と、前方が開放された平面視コノ字型をなす３つの補強枠６２とから構成されていて、補強枠６２と柱体１との関係は上記テーブルＸ２や棚Ｘ３の補強枠６１（貫材３１、３２）と柱体１の関係に準ずる。この実施形態も、補強枠６２の貫材３１、３２上にパンチングメタルの棚板６５を載置可能としている。
【００４６】
以上のように、本実施形態の仕口構成体Ａは、複数の線材１１、１２を長手方向と直交する方向に突き合わせた柱体１と、各線材１１、１２に物理的変形を加えることなく着脱可能に関わって突き合わせた状態に拘束する拘束手段（磁気的吸着部Ｍ）と、線材１１、１２の突き合わせ面１１ａ、１２ａ（１１ｂ、１２ｂ）に沿って互いに交叉方向に貫通する第１差し孔２１および第２差し孔２２と、第１差し孔２１に嵌合される第１貫材３１および及び第２差し孔２２に嵌合し更に嵌合位置から相欠きを介して第１貫材３１に係合する第２貫材３２と、係合後に第２差し孔２２と第２貫材３２の隙間δに着脱可能に嵌挿される楔材４とを備えて構成される。
【００４７】
このようなものであれば、釘やねじ等を用いることなく仕口ａを構成することができ、このような仕口ａを組み合わせて多彩なバリエーションの構造体に展開することができる。しかも、仕口ａや差し孔２１、２２、貫材３１、３２、楔材４等は伝統的な建築要素であるため、これらを用いて什器を構成すれば伝統的な建築物との親和性が極めて良好なものとなる。さらに、このような構造であればノックダウンが可能で熟練を要さずに組み立てが容易であり、多彩な構造体の形態も仕口構成体Ａを共通パーツとして表現できるため、この種のカテゴリーの什器を極めて安価に構成することができる。さらに、楔材４を外して拘束手段（磁気的吸着部Ｍ）の拘束を解けば線材１１、１２、貫材３１、３２が容易に分離できるため、違う形態のものに再構築するといった利用も可能になる。
【００４８】
また、各線材１１、１２の突き合わせ面１１ａ、１１ｂ、１２ａ、１２ｂが平坦面であり、隣接する線材１１、１２の平坦な突き合わせ面１１ａ、１２ａ同士（１１ｂ、１２ｂ同士）を突き合わせて柱体１を構成するようにしているので、平坦面を通じて柱体１の形態や強度を適切に維持することができる。
【００４９】
さらに、突き合わせ面１１ａ、１１ｂ、１２ａ、１２ｂをなす平坦面が直交２面であり、４本の線材１１、１１、１２、１２から柱体１が構成されているので、直交２方向から交叉する仕口ａを有する一般的なフレーム構造に広く適用することができる。
【００５０】
特に、拘束手段を、線材１１、１２の突き合わせ面１１ａ、１２ａ間（１１ｂ、１２ｂ間）に構成される磁気的吸着部Ｍとしているので、工具なしで組み立て、分解を極めて簡単に行うことができる。しかも、拘束手段である磁気的吸着部Ｍの拘束を解けば、仕口ａを構成した状態から線材１１、１２の一部のみを分離させることも可能であり、或いは、線材１１、１２の一部を後付けして柱体１、仕口ａに仕上げるといった施工手順を採用することも可能になる。
【００５１】
そして、少なくとも一部の仕口において、第１貫材３１もしくは第２貫材３２の少なくとも何れか一方は対応する差し孔２１、２２を貫通して両側へ延びた状態で使用すれば、貫材３１、３２が柱体１を貫通する仕口ａを什器のなかに適切に構成することができる。また、少なくとも一部の仕口において、第１貫材３１もしくは第２貫材３２の少なくとも何れか一方は対応する差し孔２１、２２への貫通端において当該差し孔２１、２２の開口面と略面一となる状態で使用すれば、貫材３１、３２が柱体１の一方の面のみから延出する仕口Ａを什器のなかに適切に構成することができる。さらに、少なくとも一部の仕口において、第１貫材３１もしくは第２貫材３２の少なくとも何れか一方は対応する差し孔２１、２２への基端および貫通端においてそれぞれ当該差し孔２１、２２の開口面と略面一となる状態で使用すれば、差し孔２１、２２のうち実質的に仕口を構成しない部分を目隠しした什器Ａを適切に構成することができる。
【００５２】
さらに、図４及び図５の棚Ｘ１に見られるように、第１貫材３１や第２貫材３２、楔材４の少なくとも何れかにオプション部材（棚板５など）を一体的に付帯させるようにすれば、貫材３１、３２や楔材４をオプション部材の取付具として有効に活用することが可能となる。
【００５３】
以上、本発明の一実施形態について説明したが、各部の具体的な構成や断面形状、材料等は上述した実施形態のみに限定されるものではない。
【００５４】
例えば、図１２に示すように、拘束手段は線材１１、１２の外周位に巻回される可撓性の緊締具７（紐や縄、テープ、ベルト等々）であってもよい。このようにすれば、線材１１、１２の着脱が工具なしで極めて簡単に行えるようになる。しかも、緊締具７が外部に露出するので、これを逆に意匠的に利用する展開も可能となる。
【００５５】
また、柱体を構成する線材は突き合わせたときに円柱状の柱体ができるような形状であってもよい。さらに、柱体から三方あるいは六方に貫材が延びるような仕口構成体や什器を構成する場合には、柱体の分割数は６などにしても構わない。さらにまた、１本の柱体を構成する各線材を色違いで構成する展開等も可能である。
【００５６】
その他の構成も、本発明の趣旨を逸脱しない範囲で種々変形が可能である。
【符号の説明】
【００５７】
１…柱体
４…楔材
７…緊締具
１１…第１線材
１２…第２線材
１１ａ、１１ｂ、１２ａ、１２ｂ…突き合わせ面
２１…第１差し孔
２２…第２差し孔
３１…第１貫材
３２…第２貫材
Ａ…仕口構成体
ａ…仕口
Ｍ…磁気的吸着部
Ｘ１…什器（手帳棚）
Ｘ２…什器（テーブル）
Ｘ３…什器（棚）
Ｘ４…什器（レジ台）
【図１】
2016140490.tif 000003
【図２】
2016140490.tif 000004
【図３】
2016140490.tif 000005
【図４】
2016140490.tif 000006
【図５】
2016140490.tif 000007
【図６】
2016140490.tif 000008
【図７】
2016140490.tif 000009
【図８】
2016140490.tif 000010
【図９】
2016140490.tif 000011
【図１０】
2016140490.tif 000012
【図１１】
2016140490.tif 000013
【図１２】
2016140490.tif 000014
【手続補正書】
【提出日】平成27年3月11日(2015.3.11)
【手続補正１】
【補正対象書類名】図面
【補正対象項目名】全図
【補正方法】変更
【補正の内容】
【図１】
2016140490.tif 000015
【図２】
2016140490.tif 000016
【図３】
2016140490.tif 000017
【図４】
2016140490.tif 000018
【図５】
2016140490.tif 000019
【図６】
2016140490.tif 000020
【図７】
2016140490.tif 000021
【図８】
2016140490.tif 000022
【図９】
2016140490.tif 000023
【図１０】
2016140490.tif 000024
【図１１】
2016140490.tif 000025
【図１２】
2016140490.tif 000026